(57)【要約】      （修正有）【課題】ガソリンスタンドの屋根の下方エリア（給油エリア）を照明するとともに、遠方にいる運転手にガソリンスタンドの所在並びにガソリンスタンドが営業中であることを知らせることが可能な高天井用照明装置を提供する。【解決手段】屋根の下方領域を照光する第１の照光体１０と、第１の照光体の両側に対称性をもって配設された一対の第２の照光体２０，３０とを含んでいる。第１の照光体１０と第２の照光体２０，３０の光源をＬＥＤ１２により構成し、第２の照光体を第１の照光体１０の基部側において開閉自在に枢支して照明角度を調節可能とするとともに第２の照光体２０，３０の側面を照光面２５，３５として形成する。【選択図】図２
0003153517.tif 000002
【実用新案登録請求の範囲】
【請求項１】
屋根の下方領域を照明するのに好適な照明装置であって、
屋根の下方領域を照光する第１の照光体と、
該第１の照光体の両側に対称性をもって配設された一対の第２の照光体とを含んでなり、前記第１の照光体と第２の照光体の光源をＬＥＤにより構成し
前記第２の照光体を前記第１の照光体の基部側において開閉自在に枢支して照明角度を調節可能とするとともに前記第２の照光体の側面を照光面として形成したことを特徴とする高天井用照明装置。
【請求項２】
屋根の下方領域を照明するのに好適な照明装置であって、
屋根の下方領域を照光する第１の照光体と、
該第１の照光体の両側に対称性をもって配設された一対の第２の照光体と、
一端が屋根に他端が前記第２の照光体に係止され、前記第２の照光体の開閉位置の位置決めを行なう位置決め用アームとを含んでなり、
前記第１の照光体と第２の照光体の光源をＬＥＤにより構成し
前記第２の照光体を前記第１の照光体の基部側において開閉自在に枢支して照明角度を調節可能とするとともに前記第２の照光体の側面を照光面として形成したことを特徴とする高天井用照明装置。
【考案の詳細な説明】
【技術分野】
【０００１】本考案は、屋根の天井に取り付けられる省エネタイプの高天井用照明装置に関するものである。
【背景技術】
【０００２】従来、ガソリンスタンドの天井（ｃａｎｏｐｙ，キャノピイ）に固定して使用する照明装置として、照明器具本体の内部にソケットを配置し、ソケットに光源ランプを装着して構成したものが提案されている（特許文献１、図４参照）。
【先行技術文献】
【特許文献１】
【０００３】特許第４０１３２３１号公報
【考案の概要】
【考案が解決しようとする課題】
【０００４】ガソリンスタンドの天井面の高さは５ｍ程度に構成され、従来の上記照明装置にあっては、光源ランプによりガソリンスタンドのキャノピイ下方の給油エリアを効率的に照らすことができるが、通例、光源ランプは省エネタイプのものが使用され、この種の光源ランプは照明光を下方領域のみに集中させて照光するタイプであり、遠方よりは照明光を確認できないため、道路を走行中の遠方にいる運転手にガソリンスタンドの所在を知らせることが難しいという問題点があった。【０００５】したがって、本考案の目的は、ガソリンスタンドの屋根の下方エリア（給油エリア）を照明するとともに、遠方にいる運転手にガソリンスタンドの所在並びにガソリンスタンドが営業中であることを知らせることが可能な高天井用照明装置を提供することにある。【０００６】本考案の他の目的は、遠方から視認されるのに好適な照明角度を自由に選定できる自由度を有し、遠方から照明光を見やすい角度に設定して自動車（道路）が走る方向（直すぐに走る道路か、カーブのある道路か、交差点かなど）とガソリンスタンドとの位置関係を考慮しながら運転手からの視認性が良好な角度に照明装置を設定し、遠方からガソリンスタンドの所在の確認が容易であるとともにガソリンスタンドが営業中であることを知らせることが可能な高天井用照明装置を提供することにある。
【課題を解決するための手段】
【０００７】本考案に係る高天井用照明装置は、屋根の下方領域を照明するのに好適な照明装置であって、屋根の下方領域を照光する第１の照光体と、該第１の照光体の両側に対称性をもって配設された一対の第２の照光体とを含んでなり、前記第１の照光体と第２の照光体の光源をＬＥＤにより構成し、前記第２の照光体を前記第１の照光体の基部側において開閉自在に枢支して照明角度を調節可能とするとともに前記第２の照光体の側面を照光面として形成したことを特徴とするものである。【０００８】また、本考案に係る高天井用照明装置は、屋根の下方領域を照明するのに好適な照明装置であって、屋根の下方領域を照光する第１の照光体と、該第１の照光体の両側に対称性をもって配設された一対の第２の照光体と、一端が屋根に他端が前記第２の照光体に係止され、前記第２の照光体の開閉位置の位置決めを行なう位置決め用アームとを含んでなり、前記第１の照光体と第２の照光体の光源をＬＥＤにより構成し、前記第２の照光体を前記第１の照光体の基部側において開閉自在に枢支して照明角度を調節可能とするとともに前記第２の照光体の側面を照光面として形成するようにしてもよい。
【考案の効果】
【０００９】本考案によれば、次の効果を奏する。
（１）ガソリンスタンドの屋根の下方領域を照明するとともに、離れた場所にいる運転手にガソリンスタンドの所在並びにガソリンスタンドが営業中であることを知らせることが可能な省エネタイプの高天井用照明装置が得られる。
（２）遠方から視認されるのに好適な照明角度を自由に選択できる自由度を有し、遠方から照明光を見やすい角度に設定して道路（自動車）が走る方向とガソリンスタンドとの位置関係を考慮しながら運転手からの視認性が良好な角度に照明装置をセットできるようにして、遠方からのガソリンスタンドの所在確認が容易であるとともにガソリンスタンドが営業中であることを知らせることが可能な状態を構築できる省エネタイプの高天井用照明装置が得られる。
【図面の簡単な説明】
【００１０】
【図１】本考案に係る高天井用照明装置を複数個ガソリンスタンドのキャノピイに設置した状態を示す斜視図である。
【図２】本考案に係る高天井用照明装置の斜視図である。
【図３】本考案に係る高天井用照明装置の平面図であり、第２の照光体が開閉自在に枢支されることを示す図である。
【図４】本考案に係る高天井用照明装置を構成している第２の照光体の断面略図である。
【図５】本考案に係る高天井用照明装置を複数個キャノピイに設置したガソリンスタンドと道路を走行中の自動車（中の運転手）との位置関係を示す俯瞰図である。
【考案を実施するための形態】
【実施例】
【００１１】以下は本考案の実施例についての説明である。
本考案に係る高天井用照明装置１は、屋根の下方領域を照光するのに好適な第１の照光体１０と、該第１の照明体の両側に対称性をもって配設された一対の第２の照光体２０、３０と、該第２の照光体の開閉位置の位置決めを行なう位置決め用アーム５１，６１を含んで構成される。各高天井用照明装置１はガソリンスタンドのキャノピイ３に固定アーム（図示せず）を介して固定される。【００１２】このうち、前記第１の照光体１０は、筐体１１と、該筐体１１の底部に複数個行列状に配列しガソリンスタンドのキャノピイ３の下方に設置される給油エリア（計量機）を照光する下方領域照射用の高輝度（ハイパワー）ＬＥＤ１２を備えている（図１、図２参照）。【００１３】前記第２の照光体２０（３０）は、ＬＥＤ２１（３１）と、該ＬＥＤ２１（３１）の下方に配設されＬＥＤ２１（３１）が照射する光を導光する扁平な導光板２２（３２）を備えている。また、前記第２の照光体２０（３０）は、回転軸２４（３４）を中心として回動するように前記第１の照光体１０の基部側において枢支される。【００１４】このように、前記高天井用照明装置１は、前記第１の照光体１０と第２の照光体２０（３０）の光源をＬＥＤにより構成し省エネタイプの照明装置を形成している。【００１５】前記位置決め用アーム５１（６１）は、一端がキャノピイ３に他端が前記第２の照光体２０（３０）の上面に係止される（図３参照）。【００１６】このため、前記第２の照光体２０（３０）は、前記第１の照光体１０とで形成する角度θ１（θ２）（θ１＜４５度程度、θ２＜４５度程度）を調節（開閉）可能に形成され（図３参照）、前記第２の照光体２０と３０が開閉すると、前記第２の照光体２０と３０が形成する角度θ３は９０度程度まで開閉可能である（図３参照）。【００１７】前記第２の照光体２０（３０）の側面などは照光面２５（３５）を形成している（図２乃至図４参照）。【００１８】かくして、前記第２の照光体２０（３０）は、遠方から視認されるのに好適な照明角度を自由に選択できる自由度を有し、遠方から照明光を見やすい角度に設定して自動車１００が走る方向とガソリンスタンドとの位置関係を考慮しながら運転手からの視認性が良好な角度に照明装置をセットでき、遠方からガソリンスタンドの所在の確認が容易であるとともにガソリンスタンドが営業中であることを知らせることが可能な状態を構築できる。
【符号の説明】
【００１９】１      高天井用照明装置
１０    第１の照光体
１１    筐体
１２    ＬＥＤ
２０    第２の照光体
２１    ＬＥＤ
２２    導光板
２４    回転軸
３０    第２の照光体
３１    ＬＥＤ
３２    導光板
３４    回転軸
５１    位置決め用アーム
６１    位置決め用アーム
【図１】
0003153517.tif 000003
【図２】
0003153517.tif 000004
【図３】
0003153517.tif 000005
【図４】
0003153517.tif 000006
【図５】
0003153517.tif 000007